(57)【要約】【課題】従来の水道メータホルダーベースは、軸方向に移動することを規制されて取り付けられたハンドル体の回転操作により、一端部でハンドル体に螺合するスライダーを進退させてきたが、安定性がなく、スライダーの進退ピッチも小さいためハンドルの回転回数が多く迅速な水道メータの着脱ができなかった。【解決手段】ハンドル体の外周３１をホルダー外郭体の内周と、内周３２をスライダーの外周と逆螺子でそれぞれ螺合させ、ハンドル体をホルダー外郭体の内周とスライダーの外周に螺合支持させ、ハンドル体のスライダーと螺合する螺子のピッチを、ホルダー外郭体と螺合する螺子のピッチよりも大きく設定した。【選択図】図２
2007078442.tif 000002
【特許請求の範囲】
【請求項１】
ベース本体に対峙する一対のホルダーを設け、その一方のホルダーに、ホルダー外郭体の内周に刻設された雌螺子と螺合する雄螺子を外周に刻設し、内周にスライダーの外周に刻設された雄螺子と螺合する前記ホルダー外郭体の螺子とは逆螺子となる雌螺子を刻設し、ハンドル体の回動に対して回動を規制したスライダーをハンドル体の回動により、メータの端部を支持する対峙ホルダーに対して進退させて水道用メータをベース本体に挟圧支持するようにしたことを特徴とする水道用メータホルダーベース
【請求項２】
ハンドル体のスライダーと螺合する螺子のピッチを、ホルダー外郭体と螺合する螺子のピッチよりも大きく設定するように構成した請求項１記載の水道用メータホルダーベース
【発明の詳細な説明】
【技術分野】
【０００１】
本発明は、水道メータの両端を着脱可能に支持して配管部に連結する水道用メータホルダーベースに関し、メータの端部を保持するスライダーを進退するハンドル体の回転操作回数を少なくし、迅速に水道メータの着脱作業を行えるようにした水道用メータホルダーベースに関するものである。
【背景技術】
【０００２】
従来、ベース体に対して水道メータを着脱する機構は、例えば特許文献１及び２に記載されるように軸方向に移動することを規制された状態で取り付けられたハンドル体と、回転を規制された状態で一端側においてハンドル体に螺合して取り付けられ、ハンドル体の回転操作により進退するスライダーによって構成されてきている。
【特許文献１】特許第３６５８４５６号公報
【特許文献２】特許第３０４２９７５号公報
【発明の開示】
【発明が解決しようとする課題】
【０００３】
しかしながら、従来の水道メータを着脱する機構は、スライダーを進退するハンドル体が軸方向への移動を規制されているため、スライダーの進退ピッチが小さくハンドル体の回転を何回も行って操作しなければ、水道メータの着脱ができなかった。
【０００４】
また、軸方向への移動を規制されたハンドル体の螺合螺子だけでスライダーの進退支持が行われているためスライダーを支持する支持面が少なく、地震や振動によるメータ端部押圧面の戻りに対して安定性を欠くという問題があった。
【課題を解決するための手段】
【０００５】
本発明は上記した問題に鑑みこれに対応しようとするものであり、スライダーを進退させるハンドル体の外周にホルダー外郭体の内周に刻設された雌螺子と螺合する雄螺子を刻設し、内周にスライダーの外周に刻設された雄螺子と螺合する前記ホルダー外郭体の螺子とは逆螺子となる雌螺子を刻設してハンドル体がホルダー外郭体の内周とスライダーの外周に螺合支持されるようにした。
【０００６】
ハンドル体の回動によってスライダーが共回りすることを阻止し、ベース本体上にスライダーが安定して支持されるようにハンドル体の内周と螺合して進退するスライダーの下端を係止する係止体をベース本体上に設けてスライダーのハンドル体の回動に対する回動を規制した。
【０００７】
また、ハンドル体のスライダーと螺合する螺子のピッチを、ホルダー外郭体と螺合する螺子のピッチよりも大きく設定するように構成して、ハンドル体の１回転することによるスライダーの推進ピッチを大幅に上げ、少ないハンドル体の回転によって迅速にスライダーを進退させ水道メータのホルダーベースへの取付けが迅速に行われるようにした。
【実施例】
【０００８】
以下、図面を参照して本発明の実施例を説明する。１はベース本体で、両側端に対峙する一対のホルダー２ａ、２ｂが設けられ、一方が締付けホルダー、他方が受けホルダーとして水道メータＡの両端に圧着してメータＡをベース本体１の中軸レベルに支持するようになっており、本体１の両側の端部は床面等への取付け部１２となっている。
【０００９】
締付けホルダー２ａは、ベース本体１に固定されたホルダー外郭体２にハンドル体３が螺合し、ハンドル体３に水道メータＡの端部を支持するスライダー４が螺合してハンドル体３の回動操作によってスライダー４を前進させて水道メータＡの端部を受けホルダー２ｂに向けて押圧し、ホルダー２ａ、２ｂ間に水道メータＡを挟圧保持し、或いはスライダー４を後退させて水道メータＡの圧着を解除してメータＡの取り外しを行うように構成されている。
【００１０】
ハンドル体３は、外周にホルダー外郭体２の内周に刻設された雌螺子２１と螺合する雄螺子３１を刻設し、内周にスライダー４の外周に刻設された雄螺子４１と螺合する雌螺子３２を刻設しており、外周の螺子と内周の螺子とは互いに逆螺子となっていてハンドル体３の回動操作によって他の螺子が回動される等の影響を受けないように構成されている。
【００１１】
ハンドル体３のスライダー４の雄螺子４１と螺合する雌螺子３２のピッチは、ホルダー外郭体２と螺合する雄螺子３１のピッチよりも２倍程度大きく設定され、ハンドル体３が一回転するとハンドル体３の進退巾の２倍の進退巾をもってスライダー４が進退するように構成される。
【００１２】
スライダー４は外周に雄螺子４１を刻設し先端側に水道メータＡの端部流路に接合して嵌着する嵌着枠４２、後端側にホルダー外郭体２の流路を形成する嵌合体２２と嵌合する嵌合部４３が設けられ、Ｏリング４４が外郭体２との所要部に配置されてホルダー内を流通する流体の洩れを防止している。
【００１３】
また、嵌着枠４２の下端部には水道メータＡの１次側端部ａ１を支持する支持片４５が設けられ、ベース本体１上に設定された係止体１１によって支持片４５のの下部が支持係止されて、ハンドル体３の回動と共回りすることを防止すると共に、メータＡの重量をベース本体１上に安定的に支持する。
【００１４】
ホルダー外郭体２ａの上流側端部は、外周に雄螺子を刻設し鋼管等の配管Ｂを螺合する配管連結構造部２３に構成され、下流側にスライダー４と嵌合する嵌合体２２と、その外周に雌螺子２１を内周に刻設してスライダー４とハンドル体３の回動構造部を包持する外郭部２４が形成される。
【００１５】
ホルダー外郭体２ｂの上流側端部は、受け側嵌着枠４６が設けられ、その下端部には水道メータＡの２次側端部ａ２を支持する支持片４７、嵌着枠４６の下流側にはホルダー機構と逆止弁ユニットＣを内蔵し、下流側端は配管連結構造部２５となっている。
【００１６】
メーターＡは、その一端を受けホルダー２ｂの嵌着枠４６に着合し、他端を締付けホルダー２ａの嵌着枠４２に嵌入して、ハンドル体３の回動操作によって締付けホルダー２ａの嵌着枠４２を前進させることにより、受けホルダー２ｂと締付けホルダー２ａの間にメータＡを挟着するように構成されている。
【００１７】
以上のように構成されたホルダーベースは、締付けホルダー２ａと受けホルダー２ｂの間に水道メータＡを支持して、ハンドル体３を一回転するとホルダー外郭体２ａからハンドル体３が１ピッチせり出すと共に、ハンドル体３からスライダー４がその倍のピッチでせり出し、一挙に水道メータＡを挟圧支持する。
【００１８】
以上のように構成したホルダーベースを、取付け部１２によってメータＡの配設位置に取付け、１次側の流体供給路を開通させれば流体は締付けホルダー２ａの流路からメータＡを通過して受けホルダー２ｂの流路に流通し、流量等の計測が行われるものである。
【００１９】
本発明は以上のように構成したので、メータの端部を保持するスライダーとこれを操作するハンドル体を安定した構造部として構成でき、水道メータ挟圧のためのスライダーを進退するハンドル体の回転操作回数を少なくし、迅速に水道メータの着脱作業を行うことを可能としたものである。
【図面の簡単な説明】
【００２０】
【図１】本発明の実施例を示すもので、メーターをホルダー支持片上に載置した状態でホルダーの要部を断面として示すホルダーベースの全体側面図
【図２】同じく、締付けホルダーの構造を示す締付けホルダー部の拡大縦断面側面図
【符号の説明】
【００２１】
１  ベース本体
１１  ベース本体のスライダー係止体
１２  ベース本体の床面等への取付け部
２  ホルダー外郭体
２ａ  締付けホルダー
２ｂ  受けホルダー
２１  ホルダー外郭体内周の雌螺子
２２  ホルダー外郭体内周の流路嵌合体
２３  ホルダー外郭体の配管連結構造部
２４  ホルダー外郭体の回動構造部包持外郭部
２５  受けホルダー外郭体の配管連結構造部
３  ハンドル体
３１  ハンドル体外周の雄螺子
３２  ハンドル体内周の雌螺子
４  スライダー
４１  スライダー外周の雄螺子
４２  水道メータ端部に嵌着するスライダーの嵌着枠
４３  ホルダー外郭体の流路嵌合体との嵌合部
４４  Ｏリング
４５  嵌着枠の水道メータ端部支持片
４６  受け側嵌着枠
４７  受け側嵌着枠の水道メータ端部支持片
Ａ    水道メータ
Ａ１  水道メータの１次側端部
Ａ２  水道メータの２次側端部
Ｂ    ホルダーベースに継手される配管
Ｃ    逆止弁ユニット
【図１】
2007078442.tif 000003
【図２】
2007078442.tif 000004